(57)【要約】【課題】筐体１内部の下方に前後方向移動可能に設けられたスライダ２の先端にパネル３を回動可能に取り付けた電子機器において、筐体１の前方の周囲にエスカッシヨン６を取り付けた場合にエスカッション６とパネル３とが干渉しない電子機器のパネル駆動機構を提供する。【解決手段】筐体１内部の下方に前後方向移動可能に設けられたスライダ２と、スライダ２の先端に一端が回動可能に支持され水平より下方に向く姿勢まで傾動されるパネル３と、を備えた電子機器において、スライダ２が筐体１より突出し、パネル３を水平より下方に向く姿勢に支持した状態からスライダ２を筐体１内部に向けて移動するときに、スライダ２が筐体より所定距離突出する位置まで移動すると、パネル３を水平位置方向に向けて回動させるように構成した。【選択図】        図１
2005178555.tif 000002
【特許請求の範囲】
【請求項１】
筐体内部に前後方向移動可能に設けられたスライダと、前記スライダの先端に一端が回動可能に支持され水平より下方に向く姿勢まで傾動されるパネルと、を備えた電子機器において、前記スライダが筐体より突出し、前記パネルを水平より下方に向く姿勢に支持した状態から前記スライダを筐体内部に向けて移動するときに、前記スライダが筐体より所定距離突出する位置まで移動すると、前記パネルを水平位置方向に向けて回動させるように構成した電子機器のパネル駆動機構。
【請求項２】
筐体内部に前後方向移動可能に設けられたスライダと、前記スライダの先端に一端が回動可能に支持され水平より下方に向く姿勢まで傾動されるパネルと、を備えた電子機器において、前記スライダが筐体の最奥の位置から所定距離だけ突出位置の間にある間は前記スライダを水平より下方に向く姿勢に傾動させないように構成した電子機器のパネル駆動機構。
【請求項３】
前記パネルの背後に後側パネルを前記スライダに回動可能に支持させた請求項１または２の電子機器のパネル駆動機構。
【請求項４】
電子機器を使用しないときは前記スライダを筐体の最奥に位置させ、前記パネルを起立させて前記パネルのブランク面により電子機器を隠すことを可能とした請求項１から３のいずれかに記載した電子機器のパネル駆動機構。
【請求項５】
前記パネル駆動の規制を行うか否かを選択可能とした請求項１から４のいずれかに記載した電子機器のパネル駆動機構。
【発明の詳細な説明】
【技術分野】
【０００１】
この発明は電子機器に係わり、特に、そののパネル駆動機構に関する。
【背景技術】
【０００２】
従来の車載用電子機器のパネル駆動機構の例を図２により説明する。図２に示す車載用電子機器の筐体１は車両の電子機器収容凹部に収容される。筐体１の内部下方にはスライダ２が図示していない駆動機構により前後方向に駆動させるように配置されている。スライダ２の先端には前側パネル３が軸３ａ回りに図示していない駆動機構により回動されるように配置されている。
【０００３】
前側パネル３の図２における右側の面はブランク面３ｃとなっており、左側の面が操作面３ｂとなっている。前側パネル３は操作しやすくするため水平面より下側まで回動される。そのとき操作面３ｂは前方に向くように傾斜している。（特願平２００２−２６４４５３、図２（ｂ）））スライダ２が筐体１の最奥に位置し、前側パネル３が起立した状態ではブランク面３ｃが車載用電子機器を隠し盗難が防止される。
【０００４】
前側パネル３の背後には後側パネル４が軸４ａ回りに回動自在にスライダ２に支持されている。後側パネル４の上端部には軸４ｂを介してアーム５が回動自在に連結されている。アーム５の下端に立設された図示していないピンは筐体１に固定された図示していないカム溝とスライダ２に設けられた図示していないカム溝とに係合している。後側パネル４はスライダ２の動きにつれて軸４ａ回りに回動される。
【０００５】
すなわち、スライダ２が筐体１の最奥の位置から所定距離前進した位置の間にあるときは後側パネル４は起立した状態であるが、スライダ２がその範囲を越えて前進すると、後側パネル４は後方に倒れるように回動する。後側パネル４が後方に倒れた状態で筐体１内部に固定された機器本体前面に設けられた記録媒体挿入口が露出し、記録媒体の出し入れが可能となる。後側パネル４の図２における右側の面は表示装置の設けられた表示面４ｃを形成している。
【０００６】
このような構成の車載用電子機器のパネル駆動機構によれば、パネルに記録媒体挿入口を形成するスペースが必要でなく、操作面や表示面を広くとることができ、さらに盗難防止を図ることができる。
【０００７】
しかしながら筐体１と車両の電子機器収容凹部とに生じた隙間を隠すために筐体１の前側の周囲にエスカッション（外枠）を設けると、エスカッションに前側パネル３が干渉するという問題が発生する。
【０００８】
図３（ａ）および（ｂ）に示すように車載用電子機器の筐体１の前方の周囲にエスカッショク６を取り付けた場合に、エスカッション６と前側パネル３とが干渉する状態を図４および図５により説明する。
【０００９】
図４（ａ）は前側パネル３を水平面より下方に向くように傾斜させたままスライダ２を矢印で示すように筐体１の奥側に移動させている状態を示す。このようなスライダ２の移動を継続すると、スライダ２が筐体１の最奥位置に至る前に図４（ｂ）に示すように、エスカッション６と前側パネル３とが、矢印Ａで示す部分において干渉するとい問題が発生する。
【００１０】
図５（ａ）はスライダ２が筐体１より僅かに突出した状態で前側パネル３を水平面より下方に向くように傾動させる状態を示す。スライダ２がこの位置にあるときにスライダ２を下側に傾動させると、図５（ｂ）に示すようにエスカッション６と前側パネル３とが矢印Ａで示す部分において干渉するという問題が発生する。
【特許文献１】特願２００２−２６４４５３、図２（ｂ）
【発明の開示】
【発明が解決しようとする課題】
【００１１】
この発明は上記した点に鑑みてなされたものであって、その目的とするところは、筐体内部の下方に前後方向移動可能に設けられたスライダの先端にパネルを傾動可能に取り付けた電子機器において、筐体の前方の周囲にエスカッシヨンを取り付けた場合にエスカッションとパネルとが干渉しない電子機器のパネル駆動機構を提供することにある。
【課題を解決するための手段】
【００１２】
この発明の電子機器のパネル駆動機構は、筐体内部に前後方向移動可能に設けられたスライダと、前記スライダの先端に一端が回動可能に支持され水平より下方に向く姿勢まで傾動されるパネルと、を備えた電子機器において、前記スライダが筐体より突出し、前記パネルを水平より下方に向く姿勢に支持した状態から前記スライダを筐体内部に向けて移動するときに、前記スライダが筐体より所定距離突出する位置まで移動すると、前記パネルを水平位置方向に向けて回動させるように構成したものである。
【００１３】
また、この発明の電子機器のパネル駆動機構は、筐体内部に前後方向移動可能に設けられたスライダと、前記スライダの先端に一端が回動可能に支持され水平より下方に向く姿勢まで傾動されるパネルと、を備えた電子機器において、前記スライダが筐体の最奥の位置から所定距離だけ突出位置の間にある間は前記スライダを水平より下方に向く姿勢に傾動させないように構成したものである。
【００１４】
また、前記各電子機器のパネル駆動機構において、前記パネルの背後に後側パネルを前記スライダに回動可能に支持させたものである。
【００１５】
また、前記各電子機器のパネル駆動機構において、電子機器を使用しないときは前記スライダを筐体の最奥に位置させ、前記パネルを起立させて前記パネルのブランク面により電子機器を隠すことを可能としたものである。
【００１６】
また、前記各電子機器のパネル駆動機構において、前記パネル駆動の規制を行うか否かを選択可能としたたものである。
【発明の効果】
【００１７】
この発明の電子機器のパネル駆動機構によれば、筐体内部の下方に前後方向移動可能に設けられたスライダの先端にパネルを傾動可能に取り付けた電子機器において、筐体の前方の周囲にエスカッシヨンを取り付けた場合にエスカッションとパネルとの干渉が防止される。
【発明を実施するための最良の形態】
【００１８】
以下この発明を実施するための最良の形態を実施例に即して説明する。
【実施例１】
【００１９】
図１はこの発明の実施例１である車載用電子機器を示す側面図である。図１（ａ）に示す車載用電子機器の筐体１は車両の電子機器収容凹部に収容される。筐体１の内部下方にはスライダ２が図示していない駆動機構により前後方向に駆動させるように配置されている。スライダ２の先端には前側パネル３が軸３ａ回りに図示していない駆動機構により回動されるように配置されている。
【００２０】
前側パネル３の図１（ａ）における下側の面はブランク面３ｃとなっており、上側の面が操作面３ｂとなっている。前側パネル３は操作しやすくするため水平面より下側まで回動される。そのとき操作面３ｂは前方に向くように傾斜している。スライダ２が筐体１の最奥に位置し、前側パネル３が起立した状態ではブランク面３ｃが車載用電子機器を隠し盗難が防止される。
【００２１】
前側パネル３の背後には後側パネル４が軸４ａ回りに回動自在にスライダ２に支持されている。後側パネル４の上端部には軸４ｂを介してアーム５が回動自在に連結されている。アーム５の下端に立設された図示していないピンは筐体１に固定された図示していないカム溝とスライダ２に設けられた図示していないカム溝とに係合している。後側パネル４はスライダ２の動きにつれて軸４ａ回りに回動される。
【００２２】
すなわち、スライダ２が筐体１の最奥の位置から所定距離前進した位置の間にあるときは後側パネル４は起立した状態であるが、スライダ２がその範囲を越えて前進すると、後側パネル４は後方に倒れるように回動する。後側パネル４が後方に倒れた状態で筐体１内部に固定された機器本体前面に設けられた記録媒体挿入口が露出し、記録媒体の出し入れが可能となる。後側パネル４の図１（ａ）における右側の面は表示装置の設けられた表示面４ｃを形成している。
【００２３】
このような構成の車載用電子機器のパネル駆動機構によれば、パネルに記録媒体挿入口を形成するスペースが必要でなく、操作面や表示面を広くとることができ、さらに盗難防止を図ることができる。
【００２４】
図１では筐体１と車両の電子機器収容凹部とに生じた隙間を隠すために筐体１の前側の周囲にエスカッション６が設けられた状態を示している。この実施例のパネル駆動機構はエスカッションに前側パネル３とが干渉しないように前側パネル３の動きが規制されている。
【００２５】
すなわち、図１（ａ）に示すように前側パネル３をその先端が水平面より下を向くように傾斜させた状態でスライダ２を矢印で示すように筐体１の奥側に移動させると、図１（ｂ）に示すようにスライダ２が筐体より所定距離突出した位置に来ると図示していない検出手段によりスライダ２のその位置が検出され、前側パネル３が矢印で示すように反時計方向に回動され、図３（ｃ）に示すように水平状態となる。
【００２６】
その後、スライダ２はさらに矢印方向に移動され、図１（ｄ）に示すように筐体１の最奥位置で停止する。この状態で前側パネル３は水平状態となっているが、さらに操作釦を操作することにより反時計方向に回動させて起立させ、ブランク面３ｃが車載用電子機器を隠すようにすることができる。
【００２７】
なお、スライダ２が筐体１の最奥の位置から図１（ｂ）に示す位置にある間は前側パネル３は水平位置より下側に回動されないように規制されている。このように前側パネル３の動きを規制することにより電子機器にエスカッョンを取り付けた場合にも前側パネル３とエスカッションとが干渉することが防止される。
【００２８】
エスカッョンを取り付けない場合は前側パネル３の動きにおける上記規制が行われないように、モード切り替えにより前側パネル３の動きを選択できる構成となっている。このように構成することにより、車種によっては、エスカッョンを取り付ける必要のない場合はスライダ２が最奥位置でも前側パネル３を水平姿勢よりも下を向くように傾動できるので使い勝手がよくなる。
【００２９】
実施例は以上のように構成されているが発明はこれに限られず、例えば、後側パネルがなく、可動パネルが１枚だけの電子機器にこの発明を適用することが可能である。
【図面の簡単な説明】
【００３０】
【図１】図１（ａ）はこの発明の実施例１である車載用電子機器を示す側面図、図１（ｂ）は同車載用電子機器の他の状態を示す側面図、図１（ｃ）は同車載用電子機器のさらに他の状態を示す側面図、図１（ｄ）は同車載用電子機器のさらに他の状態を示す側面図である。
【図２】従来の車載用電子機器の例を示す側面図である。
【図３】図３（ａ）は同車載用電子機器にエスカッションを取り付けた状態を示す側面図、図３（ｂ）は同車載用電子機器にエスカッションを取り付けた状態を示す正面図である。
【図４】図４（ａ）は同車載用電子機器の動作状態を示す側面図、図４（ｂ）は同車載用電子機器の他の状態を示す側面図である。
【図５】図５（ａ）は同車載用電子機器のさらに他の状態を示す側面図、図５（ｂ）は同車載用電子機器のさらに他の状態を示す側面図である。
【符号の説明】
【００３１】
１  筐体
２  スライダ
３  前側パネル、３ａ  軸、３ｂ  操作面、３ｃ  ブランク面
４  後側パネル、４ａ、４ｂ  軸、４ｃ  表示面
５  アーム
６  エスカッション
【図１】
2005178555.tif 000003
【図２】
2005178555.tif 000004
【図３】
2005178555.tif 000005
【図４】
2005178555.tif 000006
【図５】
2005178555.tif 000007